(57)【要約】【課題】モグラのトンネル内に忌避物質を送ることでモグラを忌避する装置において、忌避物質の到達範囲を広くすることを課題とする。【解決手段】モグラ忌避具として、モグラのトンネルに突き刺したパイプ体１０内において、網からなる筒状体から構成される忌避物保持体２０によって、軽油をしみ込ませた布Cのような所定のモグラが忌避する忌避物質を含有する忌避物質含有体を保持させることで、前記パイプ体内部の流路を塞ぐことなく、当該流路に面するように忌避物質含有体を前記パイプ内壁に保持させる。【選択図】  図１
2014057522.tif 000002
【特許請求の範囲】
【請求項１】
パイプ体と、
所定の忌避物質を含有する忌避物質含有体を前記パイプ体内部の流路を塞ぐことなく、当該流路に面するように前記パイプ内壁に保持する忌避物保持手段と、
を有するもぐら忌避具。
【請求項２】
前記忌避物保持手段は、前記パイプ体の内周面内に収まる筒状に形成した網により形成され、外周面部分において前記忌避物含有体を保持するものである請求項１に記載のモグラ忌避具。
【請求項３】
前記忌避物含有体は所定の忌避物質を布にしみ込ませたものであり、前記忌避物保持手段は当該布を外周に巻きつけることにより保持するものである請求項２に記載のモグラ忌避具。
【請求項４】
前記パイプ体は直管からなり、前記パイプ体の少なくとも一端側の開口はパイプ体の長手方向に対して９０度より小さな角度を有するように形成される
請求項１から３のいずれか１項に記載のモグラ忌避具。
【発明の詳細な説明】
【技術分野】
【０００１】
本発明は、土壌中に生息するモグラを忌避するための器具に関する。
【背景技術】
【０００２】
モグラは農作物の土壌を荒らすことから、従来、種々の忌避方法や威嚇方法が提案されている。これらの方法のうち、音や振動を用いるものは常に動力などで動かす必要があるという問題がある。
これに対して、下記特許文献に記載の器具は、密閉した中空の杭内に貫通孔を空けて、内部に忌避剤を封入する構造を有し、これをモグラが作るトンネル内に打ち込むことでモグラが忌避する忌避剤を当該トンネルに送り込むものである。これらの器具は、特別な動力も必要としない点で優れている。
【先行技術文献】
【特許文献】
【０００３】
【特許文献１】特開１１−１３７１６０号公報
【特許文献２】特開２００４−１５９６２８号公報
【発明の概要】
【発明が解決しようとする課題】
【０００４】
しかし、上記特許文献に記載の発明は、密閉されたトンネル内に密閉された状態で忌避剤を入れるので、忌避剤は自然拡散のみによってしか広がらず、到達範囲が狭くなるという問題が生じる。
本発明は、このような問題に鑑み、モグラのトンネル内に忌避物質を送ることでモグラを忌避する装置において、忌避物質の到達範囲を広くすることを課題とする。
【課題を解決するための手段】
【０００５】
上記課題を解決するために、本発明は次のような構成を有する。
請求項１に記載の発明は、パイプ体と、所定のモグラが忌避する忌避物質を含有する忌避物質含有体を前記パイプ体内部の流路を塞ぐことなく、当該流路に面するように前記パイプ内壁に保持する忌避物保持手段とを有するモグラ忌避具である。なお、忌避物質としては、軽油など臭いの強い油類や、ヨウ素、木酢液、ナフタレンなどが例示される。忌避物質含有体は、後述する忌避物質をしみ込ませた布の他、忌避物質に凝固剤を混ぜて丸薬状にしたものなどが例示され、また、ナフタレンのように常温で固形状態を保つ場合のように忌避物質それ自体が忌避物質含有体を構成する場合も含まれる。
請求項２に記載の発明は、前記モグラ忌避具において、前記忌避物保持手段は、前記パイプ体の内周面内に収まる筒状に形成した網により形成され外周面部分において前記忌避物質含有体を保持するものである。
請求項３に記載の発明は、請求項２に記載のモグラ忌避具において、前記忌避物質含有体は所定の忌避物質を布にしみ込ませたものであり、前記忌避物保持手段は当該布を外周に巻きつけることにより保持するものである。
請求項４に記載の発明は、前記モグラ忌避具において、前記パイプ体は直管からなり、  前記パイプ体の少なくとも一の端側の開口はパイプ体の長手方向に対して９０度より小さな角度を有するように形成されるものである。
【発明の効果】
【０００６】
以上のような構成により、本発明は次のような効果を奏する。
請求項１に記載の発明は、パイプ体の一端がモグラが作るトンネル内に位置し、他端側が地面から出るように斜めに配置すると、風が地面に出ている他端側からパイプ内に流入し、パイプ内の流路を通って他端側からトンネル内へと流入する。パイプ内の流路には忌避物質含有体が流路に面するように保持されているので、空気の流れに乗って忌避物質がトンネル内へと流れていくことになる。即ち、請求項１に記載の発明は、風の流れを利用して比較的広範囲に渡って忌避物質をトンネル内へいきわたらせることができる。
請求項２に記載の発明は、筒状の網の外周面により忌避物質含有体を保持することで筒状の網の内周側に流路が確保できるとともに、網により忌避物質を流路に面するように保持できるので、簡易な構造で忌避物保持手段を構成することができる。
請求項３に記載の発明は、忌避物質を布にしみ込ませたものを筒状の網に巻きつけるだけで簡易に装着でき、また、布を広い面積でパイプ内壁に接触するようにすることで摩擦力により、忌避物保持手段をパイプ内に維持することも可能となる。
請求項４に記載の発明は、パイプ体の端側を斜めに切断することで、切断した側を地上に表出させて、回転位置を調節することでパイプ体の開口面を地面に対して鉛直に近づけることができ、地面に対してほぼ平行に流れる風の流入を受けやすくすることができる。また、斜めに切断した側をトンネルに設置する場合には先端側が尖るので地面に刺しやすい。
【図面の簡単な説明】
【０００７】
【図１】実施形態に係るモグラ忌避具の分解斜視図である。
【図２】実施形態に係るモグラ忌避具を設置した状態を示す断面図である。
【図３】（ａ）は忌避物保持体の変形例を示す斜視図であり、（ｂ）は忌避物保持体の他の変形例を示す斜視図である。
【発明を実施するための形態】
【０００８】
以下、本発明の実施の形態について図を用いて説明する。
図１に本実施形態に係るモグラ忌避具Ｘの分解斜視図を示す。モグラ忌避具Ｘは、本体１０と忌避物保持体２０とから構成される。本体１０はパイプ体であり、両端部１１、１２がパイプ体の長手方向に対して約３５度の角度で切断されている。また、側面の対向する位置に貫通したネジ穴１３、１３が設けれ、これに止めネジ１４、１４が係合する。
忌避物保持体２０は、網を筒状に形成したものである。忌避物保持体２０はウエスのような布Ｃを巻きつけて、本体１０内に載置するものであり、布Ｃを巻きつけた状態で本体１０の内壁に嵌入できる程度に本体１０の内径よりもやや小さな外径を有するように形成される。
【０００９】
次に、以上のような構成を有するモグラ忌避具Ｘの使用方法について説明する。使用者は、まず、布Ｃに忌避物質、ここでは軽油をしみ込ませ、これを忌避物保持体２０の外周面に巻きつける。即ち、本実施形態では、布Cが忌避物質を含有する忌避物質含有体となる。この状態で、忌避物保持体２０を本体１０内に挿入する。この際、布Ｃが本体１０の内周面に当接し摩擦力で本体１０内部に任意の位置において固定することができる。そして、忌避物保持体２０の側面が本体１０のネジ穴１３、１３に重なるように忌避物保持体２０の位置を調節し、この状態で止めネジ１４、１４を締めて、忌避物保持体２０を止めネジ１４、１４により狭持し、より強く固定する。
次に、使用者はモグラのトンネルに通じる地面の穴を探し出し、ここに本体１０を斜めに突き刺す。図２にモグラ忌避具ＸをモグラのトンネルTに設置した状態を表す断面図を示す。突き刺した状態で、図に示すように地上側の開口１１の開口面がより鉛直に近くなるように本体１０の回転位置を調節する。以上で、モグラ忌避具Ｘの設置は完了する。
この状態において、無風状態でも布Ｃにしみ込ませた軽油が揮発しモグラのトンネル内に拡散していくが、風が開口１１から吹き込んだ場合により効果を発揮する。即ち、風が開口１１から吹き込むと、筒状に形成されている忌避物保持体２０の内周面により形成される流路を風が通りぬけてトンネル内部へと流れていくことになる。そして、忌避物保持体２０は網により形成され、忌避物保持体２０の外周には軽油をしみ込ませた布Ｃが巻きつけられているので、忌避物保持体２０の内周面により形成される流路に布Ｃは接触することとなり、布Ｃから揮発した軽油は流路を通る風の流れに乗り、トンネル内の遠い位置まで運ばれることになる。
このように本実施形態に係るモグラ忌避具Ｘでは、地面を吹く風を利用して忌避剤をトンネル内の広い範囲に行き渡らせることができ、忌避効果が高い。
【００１０】
なお、上記実施形態では、忌避物質として軽油を用いたが、モグラが嫌う物質であれば種々のものを採用でき、ヨウ素、木酢液、ナフタレン、市販のモグラ忌避剤などを使うことができる。また、忌避物保持体の構造も、本体１０内の流路を確保できるとともに、忌避剤を含有した忌避物質含有体を流路に面するように支持できれば種々の構成を採用することができる。例えば、図３（ａ）に示忌避物保持体２０Aのように、板体を放射状に配置することで外縁に布を巻きつけて保持し、板体同士の隙間で流路を確保するようなものなどが例示される。また、忌避物保持体がナフタレンのように常温で固体のものの場合を保持する場合は、例えば、図３（ｂ）に示す忌避物保持体２０Bのように忌避物保持体を構成する網状の筒を２重として、筒と筒の間に固形の忌避剤を入れて保持するような構成などをとることも可能である。
【符号の説明】
【００１１】
Ｘ  モグラ忌避具
１０  本体
１１、１２  開口
２０  忌避物保持体
【図１】
2014057522.tif 000003
【図２】
2014057522.tif 000004
【図３】
2014057522.tif 000005
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
パイプ体と、忌避物保持手段とからなるもぐら忌避具であって、
前記パイプ体は両端が開放した直管からなり、前記パイプ体の少なくとも一端側の開口はパイプ体の長手方向に対して９０度より小さな角度を有するように形成され、
前記忌避物保持手段は所定の忌避物質を含有する忌避物質含有体を前記パイプ体内部に保持するためのものであって、当該忌避物質含有体を前記パイプ体内部の流路を塞ぐことなく、当該流路に面するように前記パイプ内壁に保持するものである
もぐら忌避具。
【手続補正２】
【補正対象書類名】明細書
【補正対象項目名】０００５
【補正方法】変更
【補正の内容】
【０００５】
上記課題を解決するために、本発明は次のような構成を有する。
請求項１に記載の発明は、パイプ体と、忌避物保持手段とからなるもぐら忌避具である。前記パイプ体は両端が開放した直管からなり、前記パイプ体の少なくとも一端側の開口はパイプ体の長手方向に対して９０度より小さな角度を有するように形成され、  前記忌避物保持手段は所定の忌避物質を含有する忌避物質含有体を前記パイプ体内部に保持するためのものであって、当該忌避物質含有体を前記パイプ体内部の流路を塞ぐことなく、当該流路に面するように前記パイプ内壁に保持するものである。
【手続補正３】
【補正対象書類名】明細書
【補正対象項目名】０００６
【補正方法】変更
【補正の内容】
【０００６】
以上のような構成により、本発明は次のような効果を奏する。
請求項１に記載の発明は、パイプ体の一端がモグラが作るトンネル内に位置し、他端側が地面から出るように斜めに配置すると、風が地面に出ている他端側からパイプ内に流入し、パイプ内の流路を通って他端側からトンネル内へと流入する。パイプ内の流路には忌避物質含有体が流路に面するように保持されているので、空気の流れに乗って忌避物質がトンネル内へと流れていくことになる。即ち、請求項１に記載の発明は、風の流れを利用して比較的広範囲に渡って忌避物質をトンネル内へいきわたらせることができる。さらに、パイプ体の端側を斜めに切断することで、切断した側を地上に表出させて、回転位置を調節することでパイプ体の開口面を地面に対して鉛直に近づけることができ、地面に対してほぼ平行に流れる風の流入を受けやすくすることができる。また、斜めに切断した側をトンネルに設置する場合には先端側が尖るので地面に刺しやすい。